(57)【要約】【課題】速やかに画像データの送信を中止することができる、送信装置、複合機、送信装置の制御プログラム、及び送信装置の制御方法を提供する。【解決手段】ファックス送信のコマンドを受け付けると、ボタン処理制御部４４で無効時間のカウントを開始し、ＬＣＤ３６の画面に表示されている指示ボタン（７０、７２、及び７４）による指示の受け付けを無効にして、ＬＣＤ３６の画面のいずれかの箇所がタッチされたことによる中止の指示のみを受け付けるようにしている。複合機１０では、ファックスの送信のコマンドを受け付けた後に、ユーザが当該ファックスの送信を中止したい場合は、ＬＣＤ３６の画面（送信後画面８４）のいずれかの箇所をタッチすればよい。  従って、本実施の形態の複合機１０では、速やかに画像データの送信を中止することができる、という効果を奏する。【選択図】図１
2014064181.tif 000002
【特許請求の範囲】
【請求項１】
画像データを送信する送信動作を行う送信手段と、
前記画像データの送信に関する指示をユーザから受け付ける少なくとも１つ以上の指示部を表示領域内に表示するタッチパネルと、
前記画像データの送信指示を受け付けた場合に、前記送信手段の送信動作を開始させるよう制御すると共に、予め定められた期間、前記指示部による指示の受け付けを無効にし、かつ、前記表示領域内がタッチされた場合に、前記画像データの送信動作を中止するよう前記送信手段を制御する制御手段と、
を備えた送信装置。
【請求項２】
前記制御手段は、前記予め定められた期間内に前記表示領域内がタッチされた場合に、前記画像データの送信を中止するか否かをユーザに確認するための確認表示を前記表示領域内に行い、前記確認表示に応じてユーザから前記画像データの送信を中止する指示を受け付けた場合に、前記画像データの送信動作を中止するよう前記送信手段を制御する、請求項１に記載の送信装置。
【請求項３】
前記予め定められた期間の開始タイミングは、前記画像データの送信指示を受け付けたタイミング、及び前記画像データの送信動作の開始タイミングのいずれか一方である、請求項１または請求項２に記載の送信装置。
【請求項４】
画像データを送信する送信動作を行う送信手段と、
前記画像データの送信に関する指示をユーザから受け付ける少なくとも１つ以上の指示部を表示領域内に表示するタッチパネルと、
前記画像データの送信指示を受け付けた場合に、予め定められた期間、前記指示部による指示の受け付けを無効にし、かつ、前記送信手段による送信動作を開始させないと共に、前記表示領域内がタッチされた場合に、前記画像データの送信動作を実行しないよう前記送信手段を制御する制御手段と、
を備えた送信装置。
【請求項５】
前記制御手段は、前記予め定められた期間内に前記表示領域内がタッチされた場合に、前記画像データの送信を中止するか否かをユーザに確認するための確認表示を前記表示領域内に行い、前記確認表示に応じてユーザから前記画像データの送信を中止する指示を受け付けた場合に、前記画像データを送信しないよう前記送信手段を制御する、請求項４に記載の送信装置。
【請求項６】
ユーザが前記予め定められた期間を設定するための設定手段を備えた、請求項１から請求項５のいずれか１項に記載の送信装置。
【請求項７】
記録媒体上の画像を読み取って画像データを生成する画像読取手段、及び画像データに基づいた画像を記録媒体上に形成する画像形成手段の少なくとも一方を含む画像処理手段と、
前記画像データを送信する前記請求項１から前記請求項６のいずれか１項に記載の送信装置と、
を備えた複合機。
【請求項８】
画像データを送信する送信動作を行う送信手段と、前記画像データの送信に関する指示をユーザから受け付ける少なくとも１つ以上の指示部を表示領域内に表示するタッチパネルと、を備えた送信装置の制御プログラムであって、
前記画像データの送信指示を受け付けた場合に、予め定められた期間、前記指示部による指示の受け付けを無効にするステップと、
前記予め定められた期間、前記表示領域内がタッチされた場合に、前記画像データの送信動作を中止するよう前記送信手段を制御するステップと、
を備えた送信装置の制御プログラム。
【請求項９】
画像データを送信する送信動作を行う送信手段と、前記画像データの送信に関する指示をユーザから受け付ける少なくとも１つ以上の指示部を表示領域内に表示するタッチパネルと、を備えた送信装置の制御方法であって、
前記画像データの送信指示を受け付けた場合に、予め定められた期間、前記指示部による指示の受け付けを無効にする工程と、
前記予め定められた期間、前記表示領域内がタッチされた場合に、前記画像データの送信動作を中止するよう前記送信手段を制御する工程と、
を備えた送信装置の制御方法。
【発明の詳細な説明】
【技術分野】
【０００１】
本発明は、送信装置、複合機、送信装置の制御プログラム、及び送信装置の制御方法に関するものである。
【背景技術】
【０００２】
一般に、画像データを送信する送信装置として、記録媒体上に記録された画像をスキャナ等で読み取って生成した画像データを送信するいわゆる、ファクシミリ（以下、ＦＡＸともいう）や、当該ＦＡＸを備えた複合機が知られている。このようなＦＡＸや複合機等の送信装置において、ユーザが指示したファックス送信を中止するための技術が有る。
【０００３】
特許文献１には、複合機において、複数のジョブのいずれかの内容を変更する必要が生じた場合に確実かつ容易に所望のジョブを特定するための技術が記載されている。特許文献１に記載の技術では、ジョブリストと可能なアクションとを表示して、ユーザがジョブの内容を変更できるようにしている。
【０００４】
特許文献２には、複合機の実行中の動作の中止を、ユーザが直感的に正確に指示するための技術が記載されている。特許文献２に記載の技術では、実行中の動作を表示パネルにアニメーションで表示して、ユーザがアニメーション表示をタッチすることにより、画像データの送信の中止等、中止動作の選択を行わせている。
【先行技術文献】
【特許文献】
【０００５】
【特許文献１】特開Ｈ０８−３０７５８３号公報
【特許文献２】特開２００７−３００２８８号公報
【発明の概要】
【発明が解決しようとする課題】
【０００６】
送信装置によりファックスを送信する際に、ユーザが送信を取り止め（中止）たいという事態が発生することが有る。例えば、ファックスの送信は、宛先のＦＡＸ番号をダイヤルするために、送信ボタンをユーザが押してから数秒、ダイヤルするための時間がかかる。この時間の間に、ユーザが番号間違いや送信原稿の間違いに気付く等して、送信を即座に取り止めたいという事態が起こる。
【０００７】
上記特許文献１に記載の技術では、ジョブリストをユーザが解釈して、リスト中の一項目として表示されているジョブを正確にタッチする必要があった。また、上記特許文献２に記載の技術では、アニメーションの開始を待ち、さらにアニメーションをユーザが解釈してアニメーションの該当部を正確にタッチする必要があった。
【０００８】
番号間違いや送信原稿の間違い等に気付いて送信を取り止めたいユーザは、即座に送信を取り止めたい。しかしながら、上記特許文献１及び特許文献２に記載の技術では、ユーザがジョブリストやアニメーションを解釈する必要が有り、ユーザの思考を必要とする操作を経て、送信が中止される。そのため、即座に画像データの送信を中止させることができない場合がある。
【０００９】
本発明は、上述した問題を解決するために提案されたものであり、速やかに画像データの送信を中止することができる、送信装置、複合機、送信装置の制御プログラム、及び送信装置の制御方法を提供することを目的とする。
【課題を解決するための手段】
【００１０】
上記目的を達成するために、本発明の送信装置は、画像データを送信する送信動作を行う送信手段と、前記画像データの送信に関する指示をユーザから受け付ける少なくとも１つ以上の指示部を表示領域内に表示するタッチパネルと、前記画像データの送信指示を受け付けた場合に、前記送信手段の送信動作を開始させるよう制御すると共に、予め定められた期間、前記指示部による指示の受け付けを無効にし、かつ、前記表示領域内がタッチされた場合に、前記画像データの送信動作を中止するよう前記送信手段を制御する制御手段と、を備える。
【００１１】
本発明の送信装置は、画像データを送信する送信動作を行う送信手段と、前記画像データの送信に関する指示をユーザから受け付ける少なくとも１つ以上の指示部を表示領域内に表示するタッチパネルと、前記画像データの送信指示を受け付けた場合に、予め定められた期間、前記指示部による指示の受け付けを無効にし、かつ、前記送信手段による送信動作を開始させないと共に、前記表示領域内がタッチされた場合に、前記画像データの送信動作を実行しないよう前記送信手段を制御する制御手段と、を備える。
【００１２】
本発明の複合機は、記録媒体上の画像を読み取って画像データを生成する画像読取手段、及び画像データに基づいた画像を記録媒体上に形成する画像形成手段の少なくとも一方を含む画像処理手段と、前記画像データを送信する本発明の送信装置と、を備える。
【００１３】
本発明の送信装置の制御プログラムは、画像データを送信する送信動作を行う送信手段と、前記画像データの送信に関する指示をユーザから受け付ける少なくとも１つ以上の指示部を表示領域内に表示するタッチパネルと、を備えた送信装置の制御プログラムであって、前記画像データの送信指示を受け付けた場合に、予め定められた期間、前記指示部による指示の受け付けを無効にするステップと、前記予め定められた期間、前記表示領域内がタッチされた場合に、前記画像データの送信動作を中止するよう前記送信手段を制御するステップと、を備える。
【００１４】
本発明の送信装置の制御方法は、画像データを送信する送信動作を行う送信手段と、前記画像データの送信に関する指示をユーザから受け付ける少なくとも１つ以上の指示部を表示領域内に表示するタッチパネルと、を備えた送信装置の制御方法であって、前記画像データの送信指示を受け付けた場合に、予め定められた期間、前記指示部による指示の受け付けを無効にする工程と、前記予め定められた期間、前記表示領域内がタッチされた場合に、前記画像データの送信動作を中止するよう前記送信手段を制御する工程と、を備える。
【発明の効果】
【００１５】
本発明によれば、速やかに画像データの送信を中止することができる、という効果を奏する。
【図面の簡単な説明】
【００１６】
【図１】第１の実施の形態の複合機の一例の概略構成を示す概略構成図である。
【図２】第１の実施の形態のＬＣＤ及びキーボードの具体的一例を示す説明図ある。
【図３】第１の実施の形態の複合機の動作の一例を示したフローチャートである。
【図４】第１の実施の形態のＬＣＤに表示される初期画面の具体的一例を示した説明図である。
【図５】第１の実施の形態の中止時間設定画面の具体的一例を示した説明図である。
【図６】第１の実施の形態においてファックス送信開始直後に、ＬＣＤに表示される送信後画面の具体的一例を示した説明図である。
【図７】第１の実施の形態の複合機の動作において、無効時間のカウント開始タイミングのその他の例を示したフローチャートである。
【図８】第２の実施の形態の複合機の一例の概略構成を示す概略構成図である。
【図９】第２の実施の形態の複合機の動作の一例を示したフローチャートである。
【図１０】第２の実施の形態の確認画面の具体的一例を示した説明図である。
【発明を実施するための形態】
【００１７】
［第１の実施の形態］
以下、本実施の形態の送信装置を備える複合機について、図面を参照して説明する。
【００１８】
まず、本実施の形態の複合機の構成について説明する。図１に、本実施の形態の複合機の一例の概略構成図を示す。
【００１９】
図１に示すように、本実施の形態の複合機１０は、ＣＰＵ１２、ＮＣＵ（Ｎｅｔｗｏｒｋ  Ｃｏｎｔｒｏｌ  Ｕｎｉｔ）１４、モデム１６、ＬＡＮインターフェース（Ｉ／Ｆ）１８、コピー機能処理部２６、スキャナ機能処理部２８、プリンタ機能処理部３０、Ｇ３ファクシミリ機能処理部３２、ネットワーク通信部３４、ＬＣＤ（Ｌｉｑｕｉｄ  Ｃｒｙｓｔａｌ  Ｄｉｓｐｌａｙ：液晶ディスプレイ）３６、キーボード３８、操作部４０、動作中止処理部４２、ボタン処理制御部４４、中止処理部４６、ＲＯＭ４８、ＲＡＭ５０、ボタン無効時間記憶部５２、及び動作中止処理プログラム５４を備えている。
【００２０】
ＣＰＵ１２は、複合機１０の主制御を行う機能を有している。ＮＣＵ１４は、公衆電話網に対して、呼を確立するための機能を有する網制御装置である。モデム１６は、公衆電話回線を介してＧ３ファクシミリデータ（画像データ）等を送受信するための機能を有するモデムである。
【００２１】
また、本実施の形態の複合機１０は、ＬＡＮインターフェース１８により、ＬＡＮ２０を介して管理者のクライアントＰＣ２２や、ユーザのクライアントＰＣ２４等に接続されている。従って、本実施の形態では、複合機１０と、クライアントＰＣ２２及びクライアントＰＣ２４との間で、各種指示や画像データ等が、ＬＡＮ２０を介して授受可能に構成されている。
【００２２】
スキャナ機能処理部２８は、記録媒体上に形成された画像（本実施の形態において「画像」とは文字も含む）を読み取る機能を有している。具体的には、記録媒体上の画像を読み取って画像データを生成する機能を有している。コピー機能処理部２６は、スキャナ機能処理部２８で読み取った画像を記録媒体上に形成する機能を有している。プリンタ機能処理部３０は、クライアントＰＣ２２及びクライアントＰＣ等から受け付けた画像データを印刷する機能を有しており、本実施の形態では、ネットワークプリンタとして機能する。Ｇ３ファクシミリ機能処理部３２は、画像データ等を公衆電話回線を用いてファクシミリ送信／受信を行う機能を有している。ネットワーク通信部３４は、電子メール等の送受信を行う機能を有している。ネットワーク網（ｉ−ｎｅｔ）３５は、インターネット網を示している。なお、以下では、コピー機能処理部２６、スキャナ機能処理部２８、プリンタ機能処理部３０、Ｇ３ファクシミリ機能処理部３２、ネットワーク通信部３４の各部における処理を総称する場合は、画像データ処理という。
【００２３】
ＬＣＤ３６は、表示パネルであり、ユーザに対して、画像データ処理に関する情報、各種指示入力を即したり、受け付けたりするための指示ボタンや各種画面を表示する機能を有している。また、本実施の形態では、ＬＣＤ３６は、タッチパネル（操作部４０）機能を有している。キーボード３８は、ユーザから、画像データ処理に関する各種指示入力を受け付ける機能を有している。ＬＣＤ３６及びキーボード３８の具体的一例を図２に示す。図２に示したＬＣＤ３６及びキーボード３８（キーボード３８＿１、３８＿２）は、複合機１０の上面等、ユーザが視認しやすく、かつ操作しやすい箇所に設けられている。本実施の形態では、ＬＣＤ３６（タッチパネル）の左右にキーボード３８＿１及びキーボード３８＿２が設けられている。キーボード３８＿１は、各種画像処理機能をユーザが選択するためのボタンが含まれている。例えば、ユーザがボタン６２を選択する（押す）ことにより、Ｇ３ファクシミリ機能処理部３２が機能する。また、キーボード３８＿２は、テンキー６０を含んでおり、ファックスの宛先や、プリント枚数等の設定をユーザが行うためのボタンを含んでいる。
【００２４】
操作部４０は、ＬＣＤ３６のタッチパネルやキーボード３８等を用い、Ｇ３ファクシミリ機能処理部３２等の画像処理の選択を行ったり、送信画像（文書）の選択や宛先ファクシミリ番号やメールアドレス等の設定条件の入力等を行う機能を有している。なお、詳細は後述するが、本実施の形態では、ファックス送信に関する画面をＬＣＤ３６に表示し、ユーザは、ＬＣＤ３６の画面（表示領域）にタッチすることにより送信中止の指示を行う。
【００２５】
動作中止処理部４２は、ボタン処理制御部４４及び中止処理部４６を制御して、ファックス送信を中止するための各種処理を行う機能を有している。ボタン処理制御部４４は、ユーザからファックスの送信が指示された場合、または、ファックス送信が開始された場合に設定された無効時間の間、ＬＣＤ３６の画面上に表示されている指示ボタン（図４、７０、７２、及び７４参照）の動作の受け付けを停止させ、ユーザからの指示の受け付けを無効にする機能を有している。また、ボタン処理制御部４４は、ＬＣＤ３６の画面上のいずれかがタッチされたことのみを検知する機能を有している。中止処理部４６は、ファックス送信を中止するための予め定められた処理を行う機能を有している。
【００２６】
ＲＯＭ４８は、各種プログラムを記憶する機能を有している。ＲＡＭ５０は、コマンド情報等の各種データ等を記憶する機能を有している。動作中止処理プログラム５４は、ファックス送信を中止するための動作中止処理プログラムである。具体的には、後述するフローチャート（図３参照）に示した処理を実行するためのプログラムであり、図示を省略したメモリ等に格納されている。ボタン無効時間記憶部５２は、予め定められた時間の間、ＬＣＤ３６の画面に表示されている指示ボタンを無効にして、替わりに、ファックス送信を中止する指示を受け付ける時間を記憶する機能を有しており、メモリ等により構成されている。
【００２７】
次に、本実施の形態の複合機１０の動作について説明する。
【００２８】
図３に、本実施の形態の複合機１０の動作の一例のフローチャートを示す。図３に示したフローチャートは、キーボード３８等により、ユーザによってファックス機能が選択されている場合の、ファックスのコマンド処理を表している。
【００２９】
まず、ファックス機能がユーザにより選択されると、図４に具体的一例を示した初期画面８０がＬＣＤ３６に表示される。本実施の形態では、図４に示すように、初期画面８０には、ユーザからの指示を受け付けるための指示ボタンとして、送信ボタン７０、中止時間設定ボタン７２、及びその他指示ボタン７４が表示される。
【００３０】
まず、ステップＳ１００では、操作部（タッチパネル）４０でファックスのコマンドを受け付ける。本実施の形態では、具体的には、初期画面８０のうちの指示ボタン（７０、７２、及び７４）のいずれかによりユーザが指示したコマンドを受け付ける。
【００３１】
次のステップＳ１０２では、受け付けたコマンドがファックス送信であるか否かを判断する。例えば、ユーザがファックスの宛先をテンキー６０等により入力した後に、初期画面８０上の送信ボタン７０を押す等してファックス送信を指示した場合、肯定されてステップＳ１１１へ進む。一方、受け付けたコマンドがファックス送信以外のコマンドである場合は、否定されてステップＳ１０４へ進む。
【００３２】
ステップＳ１０４では、受け付けたコマンドが中止時間の設定であるか否かを判断する。ユーザが初期画面８０で中止時間設定ボタン７２を押した場合、肯定されて、ステップＳ１０６へ進む。ステップＳ１０６では、初期画面８０上に、中止時間設定画面８２を表示させる。本実施の形態の中止時間設定画面８２の具体的一例を図５に示す。本実施の形態において「中止時間」とは、ファックス送信コマンドを受け付けてからＦＡＸの送信中止を受け付ける時間（期間）をいう。なお、本実施の形態において「中止時間」は、ボタン処理制御部４４が、中止時間の間、指示ボタン（７０、７２、及び７４）による指示の受け付けを無効にするため、ボタン無効時間と同義としている。
【００３３】
ユーザは、テンキー６０等により、中止時間を入力し、入力が完了すると、その旨を指示ボタン８３を押すことにより、指示する。なお、図５では、具体的一例として、ユーザが中止時間として５秒を設定した場合を示している。
【００３４】
ユーザにより、中止時間が設定されると、次のステップＳ１０８では、設定された時間をボタン無効時間記憶部５２に無効時間として記憶（設定）した後、ステップＳ１２０へ進む。なお、本実施の形態では、ボタン無効時間記憶部５２には、例えば、７秒等の初期値が予め設定されている。
【００３５】
一方、ファックス送信のコマンド、及び中止時間の設定以外のコマンドを受け付けた場合は、ステップＳ１０４で否定されて、ステップＳ１１０へ進む。具体的には、初期画面８０のその他指示ボタン７４が押されたことによるコマンドを受け付けた場合は、否定されてステップＳ１１０へ進む。ステップＳ１１０では、受け付けたコマンドに応じた処理を実行した後、ステップＳ１２０へ進む。
【００３６】
一方、ＦＡＸ送信コマンドを受け付けた場合に進んだステップＳ１１１では、
ボタン処理制御部４４で図示を省略したカウンタ等により、無効時間のカウントを開始する。また、本実施の形態では、無効時間のカウントの開始に伴い、ボタン処理制御部４４がＬＣＤ３６上の指示ボタン（７０、７２、及び７４）からの指示の受け付けを無効にする。また、ボタン処理制御部４４は、ＬＣＤ３６の表示画面（図６、送信後画面８４参照）のいずれかの箇所がユーザによりタッチされたか否かを検知する。これにより、本実施の形態では、ＬＣＤ３６に表示されている画面（送信後画面８４）に表示されている指示ボタン（７０、７２、及び７４）に係わらず、無効時間内は、ユーザからは、ファックス送信の中止の指示のみを受け付けるようになる。
【００３７】
次のステップＳ１１２では、ＦＡＸ送信動作を実行（開始）する。ＦＡＸの送信動作とは、例えば、スキャナ機能処理部２８による原稿画像の読み取りや、Ｇ３ファクシミリ機能処理部３２による宛先の呼び出し等、ＦＡＸを送信するために必要な所定の動作一般をいう。ファックス送信開始直後に、ＬＣＤ３６に表示される送信後画面８４の具体的一例を図６に示す。
【００３８】
次のステップＳ１１４では、ボタン処理制御部４４により、ボタン無効時間記憶部５２に設定されている無効時間内であるか否かを判断する。無効時間内である場合は、肯定されてステップＳ１１６へ進み、ユーザにより、ＬＣＤ３６の画面（送信後画面８４）がタッチされたか否かを判断する。ボタン処理制御部４４が、画面へのタッチを検知していない場合は、否定されてステップＳ１１４に戻り、本処理を繰り返す。一方、画面がタッチされた事をボタン処理制御部４４が検知された場合は、肯定されてステップＳ１１８へ進む。ステップＳ１１８では、中止処理部４６により、送信を指示された画像データのファックス送信を中止した後、ステップＳ１２０へ進む。なお、中止処理部４６によるファックス送信の中止処理は、ファックスの送信を中止するために予め定められた処理であり、ファックス送信動作の進行に応じて、異なる処理を行うようにしてもよい。また、ファックス通信のためのモジュールをオフにしてもよい。どのような中止処理を行うかは、複合機１０やＧ３ファクシミリ機能処理部３２の機能や特性等に応じて予め定めておけばよい。
【００３９】
一方、ユーザがＬＣＤ３６の画面（送信後画面８４）をタッチすることなく、設定された無効時間が経過した場合は、ステップＳ１１４で否定されてステップ１２０へ進む。
【００４０】
ステップ１２０では、本処理を終了するか否か判断する。ファックス機能を継続して用いる場合は、ステップＳ１００に戻り、本処理を繰り返す。一方、ファックス機能を終了する場合や、複合機１０の電源（図示省略）がオフにされた場合等は、肯定されて本処理を終了する。
【００４１】
このように本実施の形態では、ファックス送信のコマンドを受け付けると、ボタン処理制御部４４で無効時間のカウントを開始し、ＬＣＤ３６の画面に表示されている指示ボタン（７０、７２、及び７４）による指示の受け付けを無効にして、ＬＣＤ３６の画面のいずれかの箇所がタッチされたことによる中止の指示のみを受け付けるようにしている。
【００４２】
本実施の形態の複合機１０では、ファックスの送信を指示した後に、ユーザが当該ファックスの送信を中止したい場合は、ＬＣＤ３６の画面（送信後画面８４）のいずれかの箇所をタッチすればよい。そのため、本実施の形態では、従来の技術のように、ユーザがどのようにファックスの指示を行えばよいのか思考する必要がなく、簡易な操作により、ファックスの送信を中止することができる。
【００４３】
従って、本実施の形態の複合機１０では、速やかに画像データの送信を中止することができる、という効果を奏する。
【００４４】
また、本実施の形態では、中止時間（無効時間）をユーザの所望に応じて設定できるように構成しているため、より適切に、速やかに画像データの送信を中止することができるようになる。
【００４５】
なお、無効時間のカウントを開始するタイミングは、本実施の形態に限らない。図７は、無効時間のカウント開始タイミングのその他の例を示したフローチャートである。なお、図７に示したフローチャートでは、上述した図３に示したフローチャートと同一の処理については記載を省略している。図７に示すように、ステップＳ１０２で受け付けたコマンドがファックス送信であると判断した場合は、肯定されてステップＳ１１２へ進み、ＦＡＸ送信を実行（開始）する。その後、ステップＳ１１３へ進み、上述した図３のステップＳ１１１の処理と同様に、ボタン処理制御部４４で無効時間のカウントを開始した後、ステップＳ１１４へ進むようにすればよい。無効時間のカウントを開始するタイミングをいずれとするかは、複合機１０やＧ３ファクシミリ機能処理部３２等の機能や特性等により定められてもよいし、ユーザや、管理者等が設定できるように構成してもよい。
［第２の実施の形態］
以下、本実施の形態の送信装置を備える複合機１０について、図面を参照して説明する。本実施の形態の複合機１０は、ユーザがＬＣＤ３６の画面をタッチすることにより、ファックスの送信中止を指示した場合に、本当に中止するか否かをユーザに選択させた後に、中止処理を行う機能を有している。なお、本実施の形態の複合機は、第１の実施の形態と、同様の、機能及び処理を含むため、同一部分には、同一符号を付し、詳細な説明を省略する。
【００４６】
図８に、本実施の形態の複合機の一例の概略構成図を示す。図８に示すように、本実施の形態の複合機１０は、第１の実施の形態の複合機１０の構成に加えて、ユーザ選択受付部５６を備えている。
【００４７】
ユーザ選択受付部５６は、ファックス送信を中止するか、実行するかをユーザに選択させるための選択画面８６（図１０参照）をＬＣＤ３６に表示させ、当該選択画面８６によるユーザの選択を受け付ける機能を有している。
【００４８】
また、本実施の形態の動作中止処理プログラム５４は、後述するフローチャート（図９参照）に示した処理を実行するためのプログラムであり、図示を省略したメモリ等に格納されている。
【００４９】
次に、本実施の形態の複合機１０の動作について説明する。図９に、本実施の形態の複合機１０の動作の一例のフローチャートを示す。
【００５０】
図９に示すように、第１の実施の形態（図３）と同様に、ステップＳ１００でコマンドを受け付けると、次のステップＳ１０２では、受け付けたコマンドがファックス送信であるか否かを判断する。ファックス送信では無い場合に否定されて進むステップＳ１０４〜ステップＳ１１０の処理は、第１の実施の形態と同様であるため、ここでは説明を省略する。
【００５１】
一方、ステップＳ１０２で肯定された場合は、ステップＳ１１１へ進み、第１の実施の形態と同様に、ボタン処理制御部４４で無効時間のカウントを開始した後、ステップＳ１１４へ進む。
【００５２】
ステップＳ１１４では、無効時間内であるか否かを判断し、無効時間内の場合は、肯定されて、ステップＳ１１６へ進み、ＬＣＤ３６の画面内のいずれかがタッチされたか否かを判断する。否定されるとステップＳ１１４に戻り、本処理を繰り返し、肯定されるとステップＳ１１７＿１へ進む。
【００５３】
ステップＳ１１７＿１では、ユーザ選択受付部５６が、ＬＣＤ３６に選択画面８６を表示させる。本実施の形態の選択画面８６の具体的一例を図１０に示す。図１０に示した選択画面８６は、ユーザにファックスの送信中止の確認を行わせ、中止するか否かを選択するためのものである。
【００５４】
次のステップＳ１１７＿２では、ファックスの送信を中止するか否か判断する。選択画面８６の指示ボタン８８がユーザにより押されたことをユーザ選択受付部５６が検知した場合は、ファックスの送信を中止しないため、否定されてステップＳ１１７＿３へ進む。ステップＳ１１７＿３では、ファックスの送信動作を実行（開始）した後、ステップＳ１２０へ進む。なお、当該送信動作は、第１の実施の形態における図３のステップＳ１１２の処理と同様である。
【００５５】
一方、選択画面８６の指示ボタン８７がユーザにより押されたことをユーザ選択受付部５６が検知した場合や、無効時間等の所定の時間が経過した場合は、ファックスの送信を中止するため、肯定されてステップＳ１１９へ進んだ後、ステップＳ１２０へ進む。ステップＳ１１９では、ファックスの送信を中止する。なお、本実施の形態のＦＡＸの中心処理は、第１の実施の形態のファックスの中止処理（図３、ステップＳ１１８）とは異なっている。第１の実施の形態の場合、ファックスの送信動作が実行（開始）された後に、中止処理を行う。一方、本実施の形態の場合、ファックスの送信動作は、無効時間の経過後、及びユーザにより選択画面８６によって、ファックスの送信を中止しないことが選択された後に実行されるため、当該中止処理を行う際には、未だ、ファックスの送信動作は実行（開始）されていない。そのため、本実施の形態では、ファックスの送信動作を実行せずに、ジョブを削除する等の所定の中止処理を行う。
【００５６】
最後のステップＳ１２０では、第１の実施の形態と同様に、本処理を終了するか否か判断し、終了しない場合は、否定されてステップＳ１００に戻り、本処理を繰り返す。一方、終了する場合は、肯定されて本処理を終了する。
【００５７】
このように本実施の形態の複合機１０は、第１の実施の形態と同様に、ファックスの送信を指示した後に、ユーザが当該ファックスの送信を中止したい場合は、ＬＣＤ３６の画面（送信後画面８４）のいずれかの箇所をタッチすればよい。そのため、第１の実施の形態と同様に、本実施の形態の複合機１０では、速やかに画像データの送信を中止することができる、という効果を奏する。
【００５８】
さらに、本実施の形態の複合機１０では、ユーザによるＬＣＤ３６の画面のタッチを検知した後に、ユーザ選択受付部５６により、選択画面８６をＬＣＤ３６に表示させ、送信を中止するか否かをユーザに選択させ、選択結果に応じて、ファックスの送信の中止処理を行っている。
【００５９】
そのため、本実施の形態の複合機１０では、ユーザが誤って、ＬＣＤ３６の画面をタッチしてしまった場合等、ユーザがファックスの送信を中止する意志がない場合等に、誤ってファックスの送信を中止してしまうのを防止することができる。
【００６０】
なお、上記各実施の形態は本発明の一例であり、本発明の主旨を逸脱しない範囲内において状況に応じて変更可能であることはいうまでもない。
【００６１】
上記第１の実施の形態と、第２の実施の形態とを組み合わせてもよい。例えば、第１の実施の形態において、第２の実施の形態と同様に、無効時間の経過後に、ファックスの送信動作を実行（開始）するようにしてもよい。無効時間の経過中にファックスの送信動作を実行するか、無効時間の経過後に、ファックスの送信動作を実行するかは、いずれであってもよい。複合機１０やＧ３ファクシミリ機能処理部３２等の機能や特性等により定められてもよいし、ユーザや、管理者等が設定できるように構成してもよい。
【００６２】
また例えば、ＬＣＤ３６（タッチパネル）の画面の左半分の領域内のいずれかの箇所をユーザがタッチした場合は、即座に送信中止処理を行い、右半分の領域内のいずれかの箇所をユーザがタッチした場合は、選択画面８６を表示させる等、ＬＣＤ３６の画面（表示領域）を大まかに分けて、第１の実施の形態を実行する領域と、第２の実施の形態を実行する領域とを設けてもよい。このように構成することにより、ユーザが第１の実施の形態と、第２の実施の形態とを比較して、それぞれの機能を実行するためにＬＣＤ３６の画面にタッチする回数を増加させることなく、第１の実施の形態と第２の実施の形態とを同時に実現することができる。
【００６３】
なお、上記各実施の形態では、無効時間内（中止時間）内に、ＬＣＤ３６の画面のいずれの箇所かがタッチされることにより、ファックスの送信中止のコマンドをユーザから受け付ける場合について説明したが、ファックスの送信中止のコマンドの受け付けはこれのみに限らない。例えば、上記実施の形態に加えて、無効時間（中止時間）内も、キーボード３８上に設けられたリセットボタンや中止ボタンから受け付けるようにしてもよい。また、無効時間（中止時間）経過後であっても、キーボード３８上に設けられたリセットボタンや中止ボタンによりファックスの送信中止のコマンドを受け付けるようにしてもよい。
【００６４】
また、無効時間（中止時間）の上限値を予め定めておき、上限値以下の数値をユーザが設定できるように構成してもよい。当該上限値は、Ｇ３ファクシミリ機能処理部３２の動作に応じて定めておいてもよい。
【００６５】
なお、上記各実施の形態では、Ｇ３ファクシミリについて説明したがこれに限らず、その他のファクシミリ、例えば、スーパーＧ３ファクシミリやＩＰファクシミリであってもよい。同様に、公衆電話回線を用いたファクシミリ通信に限らず、例えば、ＮＧＮ（Ｎｅｘｔ  Ｇｅｎｅｒａｔｉｏｎ  Ｎｅｔｗｏｒｋ：次世代ネットワーク）であってもよい。
【００６６】
また、上記各実施の形態で説明した複合機１０に限らず、ファクシミリ機能のみを備えたファクシミリ（送信装置）であってもよい。また、複合機１０にファクシミリ機能以外に備えられる画像処理機能については、特に制限されない。
【００６７】
また、上述各実施の形態で説明した複合機１０、Ｇ３ファクシミリ機能処理部３２、ＬＣＤ３６等の構成、動作等は一例であり、本発明の主旨を逸脱しない範囲内において状況に応じて変更可能であることは言うまでもない。
【符号の説明】
【００６８】
１０  複合機
２６  コピー機能処理部  （画像処理手段）
２８  スキャナ機能処理部  （画像処理手段）
３０  プリンタ機能処理部  （画像処理手段）
３２  Ｇ３ファクシミリ機能処理部  （送信手段）
３６  ＬＣＤ
４０  操作部  （タッチパネル）
４２  動作中止処理部  （制御手段）
４４  ボタン処理制御部  （制御手段、設定手段）
４６  中止処理部  （制御手段）
５２  ボタン無効時間記憶部
５４  動作中止処理プログラム
５６  ユーザ選択受付部  （制御手段）
７２  中止時間設定ボタン
８０  初期画面
８２  中止時間設定画面
８４  送信後画面
８６  選択画面
【図１】
2014064181.tif 000003
【図２】
2014064181.tif 000004
【図３】
2014064181.tif 000005
【図４】
2014064181.tif 000006
【図５】
2014064181.tif 000007
【図６】
2014064181.tif 000008
【図７】
2014064181.tif 000009
【図８】
2014064181.tif 000010
【図９】
2014064181.tif 000011
【図１０】
2014064181.tif 000012